【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
複数の物体を進行方向に移動させることができるコンベヤであって、該複数の物体は、該進行方向にも、該進行方向に対して垂直な交差進行方向にも整列されない、コンベヤと、
液滴排出デバイスと、
該交差進行方向において該コンベヤに実質的にわたるセンサアレイであって、該センサアレイは、該進行方向および該交差進行方向において各物体の位置を検出するように構成される、センサアレイと、
メモリと、
該センサアレイから該複数の物体に関する位置データを受信し、ＯＲ関数を用いて該位置データに対応する空間において画像データを該メモリに追加して、該コンベヤ上の各物体の位置に基づいて、該液滴排出デバイスに流体液滴を該複数の物体上に堆積させるように構成される、コントローラと
を備えている、印刷装置。
【請求項２】
前記センサアレイは、１度に２つ以上の物体を検出するように構成される、請求項１に記載の装置。
【請求項３】
前記コントローラは、前記液滴排出デバイスに、流体液滴を１度に２つ以上の物体上に堆積させるように構成される、請求項２に記載の装置。
【請求項４】
前記コントローラは、前記位置データを画像データと組み合わせて、前記液滴排出デバイスに送信される印刷データを作成するように構成される、請求項１に記載の装置。
【請求項５】
前記コントローラに送信される少なくとも１つの画像データを格納するための画像データベースをさらに備えている、請求項４に記載の装置。
【請求項６】
前記コントローラは、ソフトウェアを備え、該ソフトウェアは、前記位置データに基づき前記物体の中心を決定することと、該物体の中心に基づいて前記印刷データを前記メモリに追加することとを行うように構成される、請求項１に記載の装置。
【請求項７】
前記コントローラは、ソフトウェアを備え、該ソフトウェアは、前記物体の角度を決定することと、該物体の角度に対応するよう前記画像データを調整することとを行うように構成される、請求項１に記載の装置。
【請求項８】
前記液滴排出デバイスは、複数のジェッティングアレイを備えている、請求項１に記載の装置。
【請求項９】
各ジェッティングアレイは、複数のモジュールを備え、各モジュールは、異なるカラーインクを堆積させるように構成される、請求項８に記載の装置。
【請求項１０】
前記センサアレイは、電荷結合素子カメラである、請求項１に記載の装置。
【請求項１１】
前記センサアレイは、前記液滴排出デバイスの解像度に整合する解像度を有する、請求項１に記載の装置。
【請求項１２】
前記センサアレイは、前記コンベヤに対して静止している、請求項１に記載の装置。
【請求項１３】
前記液滴排出デバイスは、前記コンベヤに対して静止している、請求項１に記載の装置。
【請求項１４】
コンベヤ上で複数の物体を進行方向に移動させることであって、該複数の物体は、該進行方向にも、該進行方向に対して垂直な交差進行方向にも整列されない、ことと、
センサアレイを使用して、該進行方向および該交差進行方向において各物体の位置を検出することであって、該センサアレイは、該交差進行方向において実質的に該コンベヤにわたる、ことと、
ＯＲ関数を用いて位置データに対応する空間において画像データをメモリに追加することと、
該コンベヤ上の該物体の位置に基づいて、液滴排出デバイスに流体液滴を各物体上に堆積させることと
を含む、方法。
【請求項１５】
前記物体の位置は、電荷結合素子カメラによって検出される、請求項１４に記載の方法。
【請求項１６】
前記カメラの解像度を前記液滴排出デバイスの解像度に整合させることをさらに含む、請求項１５に記載の方法。
【請求項１７】
前記センサアレイは、前記コンベヤに対して静止している、請求項１４に記載の方法。
【請求項１８】
前記液滴排出デバイスは、前記コンベヤに対して静止している、請求項１４に記載の方法。
【請求項１９】
位置データをコントローラに送信することと、
印刷データを作成するように、該位置データを画像データと組み合わせることと、
該印刷データを前記液滴排出デバイスに送信することと
をさらに含む、請求項１４に記載の方法。
【請求項２０】
液滴排出デバイスに対して物体を移動させるための複数のレーンに分割されるコンベヤと、
各レーンに対して少なくとも１つのセンサを含む複数のセンサであって、該センサは、物体の先端を検出するように構成される、センサと、
物体が検出された場合に該複数のセンサから信号を受信するように構成されたコントローラであって、該コントローラは、該信号に対応するレーンを決定することと、該レーンに画像データを送信することとを行うように構成されている、コントローラと、
該コントローラから画像データを受信するためのメモリであって、該メモリは、該レーンに対応する該メモリに該画像データを入力するように構成され、該メモリは、該対応するレーンを通って移動する該物体上に流体液滴を堆積させるために、該液滴排出デバイスに該画像データを送信するように構成される、メモリと、
を備えている、印刷装置。
【請求項２１】
複数のレーンを有するコンベヤ上で複数の物体を移動させることと、
センサを使用して、該複数のレーンのうちの１つを通って移動する物体を検出することと、
該物体を検出した後で、該コンベヤ上を移動する該物体の仮想表現を作成することと、
該レーン内の該物体上に流体液滴を堆積させることと
を含む、流体排出方法。
【請求項２２】
複数の物体を進行方向に移動させることができるコンベヤであって、該複数の物体は、該進行方向にも、該進行方向に対して垂直な交差進行方向にも整列されない、コンベヤと、
液滴排出デバイスと、
交差進行方向において該コンベヤに実質的にわたるセンサアレイであって、該センサアレイは、該進行方向および該交差進行方向において各物体の位置を検出するように構成される、センサアレイと、
該センサアレイから該複数の物体に関する位置データを受信し、該コンベヤ上の各物体の位置に基づいて、該液滴排出デバイスに流体液滴を該複数の物体上に堆積させるように構成される、コントローラと
を備えている、印刷装置。
【請求項２３】
複数の物体を進行方向に移動させることであって、該複数の物体は、該進行方向にも、該進行方向に対して垂直な交差進行方向にも整列されない、ことと、
センサアレイを使用して、該進行方向および交差進行方向において各物体の位置を検出することであって、該センサアレイは、該交差進行方向において実質的に該コンベヤにわたる、ことと、
該コンベヤ上の該複数の物体の仮想表現を作成することと、
該コンベヤ上の該物体の位置に基づいて、液滴排出デバイスに流体液滴を該物体上に堆積させることと
を含む、方法。
【手続補正２】
【補正対象書類名】明細書
【補正対象項目名】００１７
【補正方法】変更
【補正の内容】
【００１７】
本発明の１つ以上の実施形態の詳細は、以下の添付の図面および記載において説明される。本発明の他の特徴、目的、および利点は、記載および図面、ならびに特許請求の範囲から明らかとなるであろう。
例えば、本発明は以下の項目を提供する。
（項目１）
複数の物体を進行方向に移動させることができるコンベヤであって、該複数の物体は該コンベヤ上にランダムに配置される、コンベヤと、
液滴排出デバイスと、
該進行方向に対して垂直な交差進行方向で該コンベヤに実質的にわたるセンサアレイであって、該センサアレイは、該進行方向および該交差進行方向において該物体の位置を検出するように構成される、センサアレイと、
該センサアレイから該物体に関する位置データを受信し、該コンベヤ上の該物体の位置に基づき、該液滴排出デバイスに、流体液滴を該物体上に堆積させるように構成される、コントローラと
を備えている、印刷装置。
（項目２）
上記センサアレイは、１度に２つ以上の物体を検出するように構成される、項目１に記載の装置。
（項目３）
上記センサアレイは、先端を検出するように構成される、項目１に記載の装置。
（項目４）
上記コントローラは、上記液滴排出デバイスに、流体液滴を１度に２つ以上の物体上に堆積させるように構成される、項目２に記載の装置。
（項目５）
上記コントローラは、上記位置データを画像データと組み合わせて、上記液滴排出デバイスに送信される印刷データを作成するように構成される、項目１に記載の装置。
（項目６）
上記位置データおよび画像データは、複数の１および複数の０を含むバイナリデータを備えている複数の走査線を備え、１はアクティブであり、０は非アクティブであり、上記コントローラは、ＡＮＤ関数を使用して、該位置データおよび画像データを組み合わせるように構成される、項目５に記載の装置。
（項目７）
上記コントローラから上記印刷データを受信し、該印刷データを上記液滴排出デバイスに送信するメモリをさらに備えている、項目５に記載の装置。
（項目８）
上記コントローラに送信される少なくとも１つの画像データを格納するための画像データベースをさらに備えている、項目５に記載の装置。
（項目９）
上記コントローラは、ソフトウェアを備え、該ソフトウェアは、上記位置データに基づき上記物体の中心を決定することと、該物体の中心に基づいて上記印刷データを上記メモリに追加することとを行うように構成される、項目１に記載の装置。
（項目１０）
上記コントローラは、ソフトウェアを備え、該ソフトウェアは、上記物体の角度を決定することと、該物体の角度に対応するよう上記画像データを調整することとを行うように構成される、項目１に記載の装置。
（項目１１）
遅延機構をさらに備え、該遅延機構は、上記物体が上記センサから上記液滴排出デバイスに移動するまで、該液滴排出が流体液滴を堆積させることを遅延させる、項目１に記載の装置。
（項目１２）
上記液滴排出デバイスは、複数のジェッティングアレイを備えている、項目１１に記載の装置。
（項目１３）
各ジェッティングアレイは、複数のモジュールを備え、各モジュールは、異なるカラーインクを堆積させるように構成される、項目１２に記載の装置。
（項目１４）
上記遅延機構は、上記物体が上記モジュールに到達するまで、上記液滴排出デバイスが各モジュールからインクを堆積させることを遅延させる、項目１３に記載の装置。
（項目１５）
上記センサアレイは、電荷結合素子カメラである、項目１に記載の装置。
（項目１６）
上記センサアレイは、上記液滴排出デバイスの解像度に整合する解像度を有する、項目１に記載の装置。
（項目１７）
上記液滴排出デバイスの上記解像度は、１００ｄｐｉである、項目１に記載の装置。
（項目１８）
上記センサアレイは、上記コンベヤに対して静止している、項目１に記載の装置。
（項目１９）
上記液滴排出デバイスは、上記コンベヤに対して静止している、項目１に記載の装置。
（項目２０）
コンベヤ上で複数の物体を進行方向に移動させることであって、該複数の物体は該コンベヤ上にランダムに配置される、ことと、
センサアレイを使用して、該進行方向および交差進行方向において該物体の位置を検出することであって、該交差進行方向は、該進行方向に対して垂直であり、該センサアレイは、該交差進行方向で実質的に該コンベヤにわたる、ことと、
該位置のデータに対応する空間において画像データをメモリに追加することと、
該コンベヤ上の該物体の位置に基づき、液滴排出デバイスに、流体液滴を該物体上に堆積させることと
を含む、方法。
（項目２１）
上記物体の位置は、電荷結合素子カメラによって検出される、項目２０に記載の方法。
（項目２２）
上記カメラの解像度を上記液滴排出デバイスの解像度に整合させることをさらに含む、項目２１に記載の方法。
（項目２３）
上記物体が上記液滴排出デバイスに到達するまで、該液滴排出デバイスが液滴を堆積させることを遅延させることをさらに含む、項目２０に記載の方法。
（項目２４）
上記センサアレイは、上記コンベヤに対して静止している、項目２０に記載の方法。
（項目２５）
上記液滴排出デバイスは、上記コンベヤに対して静止している、項目２０に記載の方法。
（項目２６）
位置データをコントローラに送信することと、
印刷データを作成するように、該位置データを画像データと組み合わせることと、
該印刷データを上記液滴排出デバイスに送信することと
をさらに含む、項目２０に記載の方法。
（項目２７）
上記印刷データを上記液滴排出デバイスに送信する前に、該印刷データをメモリに送信することをさらに含む、項目２６に記載の方法。
（項目２８）
液滴排出デバイスに対して物体を移動させるための複数のレーンに分割されるコンベヤと、
各レーンに対して少なくとも１つのセンサを含む複数のセンサであって、該センサは、物体の先端を検出するように構成される、センサと、
物体が検出された場合に該複数のセンサから信号を受信するように構成されたコントローラであって、該コントローラは、該信号に対応するレーンを決定することと、該レーンに画像データを送信することとを行うように構成されている、コントローラと、
該コントローラから画像データを受信するためのメモリであって、該メモリは、該レーンに対応する該メモリに該画像データを入力するように構成され、該メモリは、該対応するレーンを通って移動する該物体上に流体液滴を堆積させるために、該液滴排出デバイスに該画像データを送信するように構成される、メモリと、
を備えている、印刷装置。
（項目２９）
複数のレーンを有するコンベヤ上で複数の物体を移動させることと、
センサを使用して、該複数のレーンのうちの１つを通って移動する物体を検出することと、
該物体を検出した後で、該コンベヤ上を移動する該物体の仮想表現を作成することと、
該レーン内の該物体上に流体液滴を堆積させることと
を含む、流体排出方法。